(57)【特許請求の範囲】
【請求項１】
先端に先細状の頭部を形成し、該頭部の後方における周面には係合溝部を設け、後端にはネックレスなどの装身具との接続環部を備えた棒体あるいは板体からなるオス金具と、下面が開口された蓋体と、上面が開口された底体を、ばね部材を装填した筒部の両端に係止部を有した可動軸を取り付けて伸縮可能に形成した支持ピンにより幅方向に軸支すると共に、内部には閉方向に付勢するばね部材を配設して開閉可能に形成される中空箱型からなり、前記蓋体の長手方向の一側には前記オス金具の挿入部と、前記底体の長手方向の一側には前記オス金具の係止凹部を形成し、後端にはネックレスなど装身具との接続環部を備えたメス金具とから構成されることを特徴とする装身具用連結具。
【請求項２】
先端に先細状の頭部を形成し、該頭部の後方における周面には係合溝部を設け、後端にはネックレスなど装身具との接続環部を備えた棒体あるいは板体からなるオス金具と、下面が開口された蓋体と、上面が開口された底体を、ばね部材を装填した筒部の両端に係止部を有した可動軸を取り付けて伸縮可能に形成した支持ピンにより幅方向に軸支すると共に、内部には閉方向に付勢するばね部材を配設して開閉可能に形成される中空箱型からなり、前記蓋体の長手方向の一側には前記オス金具の第一係止凹部と、前記底体の長手方向の一側には前記オス金具の第二係止凹部を形成し、後端にはネックレスなど装身具との接続環部を備えたメス金具とから構成されることを特徴とする装身具用連結具。
【請求項３】
前記メス金具は、前記蓋体あるいは前記底体のいずれか一方の内底面から並行に突設される軸支壁部と前記蓋体あるいは前記底体のいずれか一方の両側壁部を前記支持ピンにより幅方向に軸支することで中空箱型を形成するものであることを特徴とする請求項１乃至請求項２に記載された装身具用連結具。
【請求項４】
前記メス金具の前記挿入部の内側には、前記オス金具を支持する案内部が連設されていることを特徴とする請求項１乃至請求項３に記載された装身具用連結具。
【請求項５】
先端に先細状の頭部を形成し、該頭部の後方における周面には係合溝部を設け、後端には装身具との接続環部を備えた棒体あるいは板体からなるオス金具と、下面が開口され、内底面から並行に突設される軸支壁部と、長手方向一側には前記オス金具の挿入部を形成し、後端にはネックレスなど装身具との接続環部を備えた蓋体に、長手方向一側に前記オス金具の係止凹部を形成した係止レバーを、ばね部材を装填した筒部の両端に係止部を有した可動軸を取り付けて伸縮可能に形成した支持ピンにより、閉方向に付勢するばね部材を配設して前記蓋体の軸支壁部に軸支し、該係止レバーは前記蓋体内で枢動可能に取付けられているメス金具とから構成されることを特徴とする装身具用連結具。
【請求項６】
前記オス金具は、先端に薄幅の頭部を形成し、該頭部の後方における周面には係合溝部を設け、後端にはネックレスなど装身具との接続環部を複数備えた大径の棒体あるいは板体であることを特徴とする請求項１乃至請求項５に記載の装身具用連結具。
【請求項７】
前記メス金具の前記蓋体及び底体における前記挿入部及び係止凹部は、前記支持ピンによる軸支方向と並行する位置に形成されていることを特徴とするとする請求項１乃至請求項６に記載の装身具用連結具。
【発明の詳細な説明】
【０００１】
【発明の属する技術分野】
本発明は、真珠ネックレスやチェーンネックレスなどの環状装身具を取付ける装身具用連結具に関する。
【０００２】
【従来の技術】
従来から、真珠ネックレスなどに使用する連結具としては、図１に示されるような、コイルばねを使用した連結具１０が開示されている。
すなわち、真珠ネックレス等の連珠装身具本体１９aの一側端末が接続される係止具１３には丸棒形状の周面に係止溝１５が形成され、連珠装身具本体１９bの他側端末が接続される連結具本体１８は、上記係止具１３の挿脱が可能な円筒形の受入部材１１と、上記係止具１３の係止溝１５に係  脱可能な係止部材１６を備えかつ連結具本体１８の外部に係脱ボタン１７を設け、この係止部材１６を常に係止溝１５に係止する方向に弾性力で付勢するコイルバネ１７ａからなることを特徴とするものである（実開平７−３０７３０号）。
【０００３】
かかる連結具１０は、金属板をＶ字状に折り曲げて板ばねを形成したオス金具を指先で押圧して偏平形状し、一端に挿入口を形成した中空箱型のメス金具に装着するという、従来からある一般的な装身具用連結具における着脱操作の困難性を解決したものである。
【０００４】
一方で、前記連結具１０は、複数の微細な部品から構成されているため、組み立てが容易でなく、コスト的にも高額なものとなるという問題点を有している。
したがって、その問題点を解決したものとして、図２及び図３に示されるような、先端に頭部２５を形成し、該頭部２５の後方には係合部２７を設け、後端には装身具との接続部２９を備えたオス金具２２と、下面が開口された蓋体３１と、上面が開口された底体３０aを、それぞれの両側壁部３３,３３ａを軸支し、閉方向に付勢するばね部材３７aを配設して開閉可能に形成される中空箱型からなり、該中空箱型の一端面には前記オス金具２２の挿入部３７を形成すると共に前記蓋体３１と前記底体３０aのいずれか一方あるいは双方には前記係合部２７との係止部３１aを形成し、逆端面には装身具との接続部３９を備えたメス金具３０とから構成されることを特徴とする装身具用連結具２０も開発されている（特願平１１−１３０６８２号）。
【０００５】
【発明が解決しようとする課題】
しかし、前記連結具２０においては、メス金具３０の中空箱型を形成するためには蓋体３１の軸支部３５と底体３０aの軸支部３５aを合わせた状態で支軸３８を捜通し、支軸３８の両端をかしめることで、中空箱型を形成する作業が必要となる。かかる場合には、どうしても蓋体３１と底体３０aの両側壁部３３,３３ａの表面が切傷し、連結具２０を再研摩しなければならない。したがって、連結具２０は再研摩のための余計なコストがかかることになる。
又、一旦固定されたと蓋体３１と底体３０aの交換が不可能であり、連結具２０の修理等が容易でないという問題点を有していた。
【０００６】
そこで本発明は、装着時における操作性が非常に簡単であると共に、構造がシンプルなことより組み立てが容易である装身具用連結具を提供することを目的とする。
又、最終的な研摩作業も必要とされず、ひいてはコスト的にも低価格となる装身具用連結具を提供することを目的とする。
更に、本発明は、蓋体と底体の交換が可能であることより修理なども容易である装身具用連結具を提供することを目的とする。
【０００７】
【課題を解決しようとする手段】
上記目的を達成するため、請求項１に記載された本発明は、先端に先細状の頭部を形成し、該頭部の後方における周面には係合溝部を設け、後端にはネックレスなどの装身具との接続環部を備えた棒体あるいは板体からなるオス金具と、下面が開口された蓋体と、上面が開口された底体を、ばね部材を装填した筒部の両端に係止部を有した可動軸を取り付けて伸縮可能に形成した支持ピンにより幅方向に軸支すると共に、内部には閉方向に付勢するばね部材を配設して開閉可能に形成される中空箱型からなり、前記蓋体の長手方向の一側には前記オス金具の挿入部と、前記底体の長手方向の一側には前記オス金具の係止凹部を形成し、後端にはネックレスなど装身具との接続環部を備えたメス金具とから構成される装身具用連結具であることを特徴とする。また、請求項２に記載された発明は、先端に先細状の頭部を形成し、該頭部の後方における周面には係合溝部を設け、後端にはネックレスなど装身具との接続環部を備えた棒体あるいは板体からなるオス金具と、下面が開口された蓋体と、上面が開口された底体を、ばね部材を装填した筒部の両端に係止部を有した可動軸を取り付けて伸縮可能に形成した支持ピンにより幅方向に軸支すると共に、内部には閉方向に付勢するばね部材を配設して開閉可能に形成される中空箱型からなり、前記蓋体の長手方向の一側には前記オス金具の第一係止凹部と、前記底体の長手方向の一側には前記オス金具の第二係止凹部を形成し、後端にはネックレスなど装身具との接続環部を備えたメス金具とから構成される装身具用連結具であることを特徴とする。
【０００８】
請求項３に記載された発明は、請求項１乃至請求項２に記載された装身具用連結具において、前記メス金具は、前記蓋体あるいは前記底体のいずれか一方の内底面から並行に突設される軸支壁部と前記蓋体あるいは前記底体のいずれか一方の両側壁部を前記支持ピンにより幅方向に軸支することで中空箱型を形成するものであることを特徴とする。また、請求項４に記載された発明は、請求項１乃至請求項３に記載された装身具用連結具において、前記メス金具の前記挿入部の内側には、前記オス金具を支持する案内部が連設されていることを特徴とする。
【０００９】
請求項５に記載された発明は、先端に先細状の頭部を形成し、該頭部の後方における周面には係合溝部を設け、後端には装身具との接続環部を備えた棒体あるいは板体からなるオス金具と、下面が開口され、内底面から並行に突設される軸支壁部と、長手方向一側には前記オス金具の挿入部を形成し、後端にはネックレスなど装身具との接続環部を備えた蓋体に、長手方向一側に前記オス金具の係止凹部を形成した係止レバーを、ばね部材を装填した筒部の両端に係止部を有した可動軸を取り付けて伸縮可能に形成した支持ピンにより、閉方向に付勢するばね部材を配設して前記蓋体の軸支壁部に軸支し、該係止レバーは前記蓋体内で枢動可能に取付けられているメス金具とから構成される装身具用連結具であることを特徴とする。
【００１０】
請求項６に記載された発明は、請求項１乃至請求項５に記載の装身具用連結具において、前記オス金具は、先端に薄幅の頭部を形成し、該頭部の後方における周面には係合溝部を設け、後端にはネックレスなど装身具との接続環部を複数備えた大径の棒体あるいは板体であることを特徴とする。
更に、請求項７に記載された発明は、請求項１乃至請求項６に記載の装身具用連結具において、前記メス金具の前記蓋体及び底体における前記挿入部及び係止凹部は、前記支持ピンによる軸支方向と並行する位置に形成されていることを特徴とするとする。
【００１１】
以下、図面に基づき本発明を詳細に説明する。
図４から９は、本発明の第１の実施の形態を示す第１連結具４０で、図４はオス金具４１の正面図、図５はメス金具５０の分解斜視図、図６はメス金具５０とオス金具４１との連結状態を示す横断面図である。図７はメス金具５０の底体を枢動させ、オス金具４１を離脱させた状態を示す断面図である。図８は第１連結具４０の略中央縦断面図である。図９は支持ピン７０の一部破断した状態を示す側面図である。図１０は、支持ピンの他の実施例を示す断面図である。
【００１２】
第１連結具４０のオス金具４１は、大径な胴部４２と、該胴部４２の先方には段差を設け、先端部４３では先細になると共になだらかな尖頭である頭部４３aを形成し、後方には凹状の係合溝部４５と後端にはリング状の接続環部４６をそれぞれ一体に形成した丸棒体からなる。
接続環部４６の通孔には、糸組みがされた後の真珠ネックレスなどの両端から突出されるネックレス糸の一端が締結される。
【００１３】
メス金具５０は、箱型の下面全体を開口し、全体を略矩形に形成した蓋体５１と、箱型の上面全体を開口し、全体を略矩形に形成し、前記蓋体５１に入り込む程度の寸法からなる底体６０により構成される。
【００１４】
蓋体５１には、長手方向の一側略中央には、前記オス金具４１の胴部４２の外径よりやや大きい内径の挿入部５２を設け、該挿入部５２の内側には、前記オス金具４１がガイドされる筒状の案内部５４を形成してある。
【００１５】
この案内部５４の後方には並行な案内壁部５６が連設され、該案内壁部５６からは同じく並行な軸支壁部５７が下方に突設され、該支持板５７には後記する支持ピン７０の筒部７１全体を挿通できる内径の挿通穴５８を設けてある。
また、案内部５４の外周面下端には、後記する底体６０の内底面と当接して、形成される中空箱型の高さを調節するための係止突起５５が形成されている。
５９は、蓋体５１の後端に設けたリング状の接続環部５９で、オス金具のそれと同様に糸組みがされた後の真珠ネックレス等の両端から突出されるネックレス糸が一端が締結される。
【００１６】
底体６０には、長手方向の一側略中央には、前記オス金具４１の係合溝部４５が係止する内径で、略半円状の係止凹部６１を設け、両側壁部の略中央には後記する支持ピン７０の先端部７４が捜通できるピン穴６２を形成してある。
また、底体６０の底面には操作時における指の滑り止めのため押圧凹部６３を形成してある。
【００１７】
６５はコイルばねで、略コの字形に形成した軸部６６の両端にコイル部６７を形成し、該コイル部６７の両端を軸部６６に対しそれぞれ、例えば、６０度上方に折り曲げてある。
【００１８】
７０は、前記蓋体５１と底体６０をコイルばね６５を介して開閉可能に軸支する支持ピン７０で、筒部７１の内部にスプリング７２を装填すると共に、該筒部７１の両端に可動軸７３を取付けてある。
この可動軸７３には、軸支部７４と鍔部７５及び係止部７５ｂがそれぞれ形成され、該係止部７５ｂを前記筒部７１の両端より支持ピン７０に収納してかしめ留めすることにより、支持ピン７０は可動軸７３により伸縮可能となる。
【００１９】
この支持ピン７０によれば、前記コイルばね６５のコイル部６７と前記蓋体５１の挿通穴５８および前記底体６０のピン穴６２をそれぞれ同一軸心上に位置させた状態で、まず筒部７１をコイル部６７と蓋体５１の挿通穴５８に挿通する。次に、可動軸７３を縮めた状態で、先端部７４を底体６０のピン穴６２に挿入して、蓋体５１と底体６０による中空箱型を形成することができる。
【００２０】
かかる状態では、蓋体５１と底体６０は開閉可能となり、又、配設されたコイルばね６５の先端及び軸部６６が、それぞれ蓋体５１と底体６０の内底面を内側から押圧するので、蓋体５１と底体６０は、挿入凹部５２と係止凹部６１が閉鎖する方向に付勢される。
【００２１】
第１連結具４０の作用について説明すると、オス金具４１の頭部４３を蓋体５１の挿入部５２と底体６０の係止凹部６１により形成される挿入口よりメス金具５０に挿入する。
【００２２】
第１連結具４０のオス金具４１は、頭部４３aが尖頭状であり且つ細径の先端部４３が先方に形成されているため、特別な力を必要とすることなく、すなわち無負荷に近い状態でメス金具５０内に仮挿入することができる。
更に、オス金具４１を押しこむと、大径な胴部４２が底体６０の係止凹部６１を押し下げつつ、メス金具５０内にスムーズに進入することができる。
【００２３】
次に、オス金具４１は、案内壁５６にガイドされてより内部に入りこみ、オス金具４１の係合溝部４５が底体６０の係止凹部６１に達した時点で、コイルばね６７の付勢力により底体６０は押し上げられ、係止凹部６１と係合溝部４５と嵌合して、オス金具４２とメス金具５０は連結される。メス金具５０には、筒状の案内部５４が形成されており、使用中においてもオス金具４１のガタツキは防止され、双方は安定して連結される。
【００２４】
次いで、オス金具４１をメス金具５０から外す場合は、底体６０の押圧凹部６３を指先で押圧すると、底体６０を容易に押し上げることができる。
底体６０が開放方向に枢動して、係止凹部６１と係合溝部４７の嵌合は解除され、オス金具４２はメス金具５０から容易に引き抜くことができる。
【００２５】
また、メス金具５０の交換、修理等が必要な場合は、例えば針などを使用し、支持ピン７０の先端部７４をピン穴６２より内側へ押圧すると、可動軸７３が縮んで支持ピン７０が外れて、蓋体５１と底体６０を分離することができる。
【００２６】
このような第１連結具４０は、オス金具４１にあっては、棒材を旋盤加工して製造する、メス金具５０にあっては、蓋体５１と底体６０を各部材に分け、それぞれをプレス成形して組み立てる、あるいは鋳造による一体成形等の製造が可能であり、コスト面においても極めて経済的である。
【００２７】
さらに、第１連結具４０において、また後記する連結具においても同様に、支持ピンの形状は、図示されたものに限られるわけではない。例えば、図１０に示すように、筒部７６ａの内部にスプリング７７を収容し、該筒部７６の両端には可動軸７８ｂを伸縮可能に取付けた支持ピン７６を使用する場合には、一方の可動軸７８ｂには、軸支部７８ｃと鍔部７９ａと係止部７８ａとが形成され、他方の可動軸７８ｂには、軸支部７８ｃと二枚の鍔部７９ｂと係止部７８ａが形成されている。
【００２８】
この支持ピン７６によれば、前記メス金具５０の交換、修理等が必要な場合にも、例えば、蓋体と底体を開放した状態で、中空箱型内にある支持ピン片側の二枚の鍔部７９ｂのうち内側の鍔部にのみを針などでひっかけて、片側の可動軸７８ｂのみを縮めることが可能である。したがって、底体６０に形成されるピン穴６２は貫通穴である必要がなくなり、美観上も優れた連結具を提供することができる。
【００２９】
図１１は、本発明の第２の実施の形態である第２連結具を示す斜視図、図１２は、そのメス金具の分解斜視図、図１３は、その結合状態を示す横断面図である。第２連結具８０は、箱型の下面全体を開口した蓋体８１と、同様に箱型の上面全体を開口し、蓋体８１よりやや大きい寸法で、蓋体８１の側壁を全体的にカバーする形状の底体９０により構成されるメス金具８０ａに、オス金具４１を着脱するものである。
【００３０】
第２連結具におけるオス金具９５は、先端で先細になり頭部９６を形成し、後方には凹状の係合溝部９７と後端にはリング状の接続環部９８をそれぞれ一体に形成した丸棒体である。
【００３１】
メス金具８０の蓋体８１には、長手方向の一側にオス金具４１の係合溝部４５が係合する内径、すなわち胴部の外径よりやや小さい寸法で、下方より略半円状に切り欠かれた第一係止凹部８７が形成されている。
また、蓋体８１の両側壁部略中央には、前記同様の支持ピン７０の軸支部７４を挿入するためのピン穴８５が形成され、後方には、なだらかなスロープ８３を上方向に形成してある。かかるスロープ８３は、後記する底体の山形部９６とあいまって、底体９０を押圧して、蓋体８１と底体６０を開く動作をスムーズに行なうためのものである。さらに蓋体８１の後端には、接続環部８９を形成してある。
【００３２】
底体９０には、長手方向の一側に前記第一係止凹部８７同様の寸法で、上方より略半円状に切り欠かれた第二係止凹部９１が形成され、該第二係止凹部９１の内側、すなわち底体９０の内底面には、前記第１連結具同様に、筒状の案内部を連接してある（図示せず）。
また、底体９０の両側壁には、山形部９４が設けられ、該山形部９４略中央には、やはり前記同様の支持ピン７０の軸支部７４を挿入するためのピン穴９３を形成してある。
更に、底体９０には、複数線状の凹凸形状により、滑り止めのための押圧部９２が形成してある。
【００３３】
蓋体８１と底体９０は、第１連結具４０同様に、コイルばね９７を内部に配設し、ピン穴８５、９３を重ね合わせて、前記同様の支持ピン７０により幅方向で軸支され、中空箱型からなるメス型８０ａが形成される。
メス型８０ａは、第１連結具４０同様に、蓋体８１と底体９０が開閉可能となると共にコイルばね９７aの作用により第一係止凹部８７と第二係止凹部９１は閉方向に付勢される。
【００３４】
第２連結具８０の使用方法は、前記第１連結具４０のそれと略同様であるので、ここでは説明を省略する。
【００３５】
第２連結具８０では、メス金具８０ａが閉鎖すると、蓋体８１における第一係止凹部８７及び底体における第二係止凹部８７が相互に重なった状態となる。すなわち、連結されたオス金具９５の係合溝部４５は、前記第一係止凹部８７と第二係止凹部８７の双方で係止される。よって、オス金具９５とメス金具８０ａの連結をより確実に行なうことができる。
【００３６】
図１４は、本発明の第３の実施の形態を示す第３連結具を示す側面断面図である。
第３連結具１００は、箱型の下面全体を開口した蓋体１１１と、箱型の上面全体を開口した底体１２０の両側壁部を、前記連結具同様に伸縮自在の支持ピン７０により軸支し、開閉可能な中空箱型を形成したメス金具１１０とオス金具１０１から構成される。
【００３７】
ここで、オス金具１０１は、先端に先細状の頭部１０３を形成し、後方には凹状の係合溝部１０５と後端には装身具との接続環部１０６を一体に形成した丸棒体であり、前記までのオス金具に比して全長がかなり短いものである。
かかる形状のオス金具１０１を使用することによって、メス金具１１０への挿入時にもコイルばね１２７にぶつかる、あるいは挿入方向がずれるといった可能性はなくなるため、第３連結具１００では、蓋体１１１と底体１２０のいずれにも、オス金具１０１の挿入をガイドするための案内部を形成する必要がない。よって、一般的に微細な大きさの装身具用連結具では、制作が著しく容易となり、かつ高価な貴金属、例えば、合金、プラチナを素材として使用する場合、コストの低減も図ることができる。
【００３８】
また、第３連結具１００においては、蓋体１１１と底体１２０の軸支部分、すなわち支持ピン７０の位置が挿入されるオス金具１０１と同一軸心上にあり、前記までの実施例に比し、メス金具１１０を全体的に薄くでき、連結具の小型化も可能となる。
【００３９】
図１５は、本発明の第４の実施の形態を示す第４連結具１３０を示す略中央断面図である。図１６は、支持ピン１５０を示す一部破断した正面図である。
第４連結具１３０は、箱型の下面全体を開口した蓋体１３１に、その内底面から並行に突設され、略中央に捜通穴１３８が形成された軸支壁部１３７を設け、箱型の上面全体を開口し、両側壁部にピン穴１４６を形成した底体１４０を、内部にコイルばね１４７を配設し、筒体１５１の内部にスプリング１５２を収容して、両端の可動軸１５３が伸縮自在である支持ピン１５０により幅方向に軸支し、開閉可能な中空箱型からなるメス金具１３０aと前記同様のオス金具４１から構成される。
【００４０】
第４連結具１３０における支持ピン１５０は、前記までの実施例に使用されたものと異なり、両端の可動軸１５３には鍔部が形成されていない、一方、底体１４０の横幅と支持ピン１５０における筒部１５１の全長はほぼ一致している。かかる場合には、蓋体１３１の軸支壁部１３７に支持ピン１５０の筒部１５１を捜通して後、コイルばね１４７を巻装した状態で、支持ピン１５０両端の可動軸１５３を押し込み、全長を縮めて、そのまま底体１４０のピン穴１４６に両端を捜通し、蓋体１３１と底体１４０を軸支して中空箱型を形成することができる。
【００４１】
第４連結具１３０は、前記までの実施例に比し、更に構造の簡略化を図ることができ、コストのより一層の削減をすることができる。
【００４２】
図１７は、本発明の第５の実施形態を示す第５連結具１６０の分解斜視図である。
【００４３】
本実施形態におけるオス金具１９１は、くさび形状からなる幅厚な胴部１９４の先方に段差を設けて、幅薄の先端部１９３と断面が尖頭状の頭部１９３aを形成し、後方の外周面には係合溝部１９５と後端には複数の接続環部１９６を形成してある。
接続環部１９６の通孔には、複数連からなる真珠ネックレスなどが糸組みされ、その両端から突出されるネックレス糸の一端がそれぞれ締結される。
【００４４】
メス金具１７０は、下面が開口され、全体を略矩形に形成した蓋体１７１と、上面が開口され、周縁一体に壁部１８５を設け、全体を略矩形に形成した底体１８０とにより構成される。
【００４５】
蓋体１７１には、長手方向の一側にオス金具１９１の係合溝部１９５が係合する係止凹部１７２を設け、幅方向の両側壁部略中央にはピン穴１７４を設けてある。
【００４６】
底体１８０には、長手方向の一側に設けた略箱型の案内部１８２となだらかに傾斜する案内壁部１８３を連設してある。底体１８７の壁部１８５には、山形部１８６とピン穴１８４を設けてある。１８８は、リング状の接続環部で、その通孔にはネックレス糸などが締結される。
【００４７】
１８７はコイルばねで、その形状は前記までの実施形態におけるコイルバネと同様であるから、ここでは説明を省略する。
７０は支持ピンで、その構造はやはり前記までの実施形態における支持ピンと同様であるから、ここでは説明を省略する。
【００４８】
この支持ピン７０を、コイルばね１８７のコイル部と底体１８０のピン穴１８４および蓋体１７１のピン穴１７４を同一軸心上に位置し、筒部をコイルばねのコイル部に、可動軸をピン穴１８４、１７４に挿入する。
【００４９】
第５連結具１６０には、複数の接続環部１８８,１９６が備えられているので、例えば二連真珠ネックレスなど、複数連からなるネックレスなどの装身具を連結具することができる。また、オス金具１９１が、くさび形状などからなる大径の胴部を形成するので、複数連からなるネックレスなどの装身具を装着中に連がよじれることもない。
【００５０】
図１７は、本発明の第６の実施形態である第６連結具２２０を示す斜視図でり、図１８は、その分解斜視図である。
第６連結具２２０は、前記同様の蓋体２３１に係止レバー２４０を枢動可能に取付けて形成されるメス金具２３０と前記同様のオス金具４１により構成される。
【００５１】
蓋体２３１は、下面全体が開口され、周囲全体に側壁部２３１が設けられた円形の箱型で、一側には挿入口２３７が形成され、該挿入口２３７の内側には、オス金具４１胴部の外径にほぼ一致する間隔で、内底面より並行な軸支壁部２３４が突設され、該軸支壁部２３４の略中央にはピン穴２３５が形成されている。
【００５２】
係止レバー２４０は、板状の一端面が上方約９０度に折り曲げられ、オス金具４１の係合溝部４５に係合する内径で略半円状に切り欠かれた係止凹部２４１が形成され、両側壁部には山形部２４４と該山形部２４４の略中央にはピン穴２４３と底面には押圧部２４２が形成されたものである。
係止レバー２４０は、前記同様のコイルばね２４７を巻装し、軸支壁部２３４と山形部２４４のピン穴２３５、２４３に、やはり前記同様の伸縮自在の支持ピン７０を使用し、蓋体２３１の内底面に枢動可能に取付けられる。
【００５３】
第６連結具２２０を使用する方法は、前記までの実施例と略同様であるが、本実施例においては、メス金具２３０が中空箱型を構成しないため、メス金具２３０の形状に制約がなくなる。
したがって、種々の装飾的な形状をメス金具２３０に採用することもでき、美的効果に優れた連結具が提供でき、装身具という商品の特殊性より有用性が高いものである。
【００５４】
図２０は、本発明の第７の実施の形態を示す第７連結具２５０を示す下方向からの斜視図であり、図２１は、そのメス型の分解斜視図である。
本実施例における第７連結具２５０は、下面全体を開口した箱型の、長手方向の一側には挿入凹部２６７と、両側壁部面には下方向への山形部２６３と該山形部２６３の略中央にピン穴２６５を形成した蓋体２６１と、上面全体を開口した箱型の、長手方向の一側には係止凹部２７１と、両側壁面の略中央にピン穴２７３と、後端には装身具との接続環部２７９を備えた底体２７０を、閉方向に付勢するコイルばね２７７を内部に配設して、伸縮自在の支持ピン７０により幅方向に軸支し、開閉可能に形成される中空箱型からなるメス金具２６０に、先端に湾曲状の頭部２５５を形成し、該頭部の後方には鉤状の係合溝部２５７が両側に形成され、後端には装身具との接続環部２５９を備えた板体からなるオス金具２５２を着脱するものである。
なお、本実施例におけるメス金具２６０の底体２７０の底面略中央には上方に帯状に湾曲した支持部２７６が形成されている。
【００５５】
第７連結具２５０を使用するには、前記までの実施例と略同様であるが、本実施例においては、偏平なオス金具２５２を挿入する場合でも、支持部２７６の存在によりメス金具２６０内部で安定して連結することができ、連結時にオス金具２５２がぐらぐらすることがない。このような第５連結具２５０は、チェーンネックレスなどの装身具に使用することができる。
【００５６】
図２２は、本発明の第８の実施の形態を示す第８連結具２８０及びその使用状態を示す斜視図である。
第８連結具２８０は、ハート箱型の下面全体を開口した蓋体２８２と、ハート箱型の上面全体を開口した底体２９０を、閉方向に付勢するコイルばねを内部に配設して（図示せず）、伸縮自在の支持ピン７０により幅方向に軸支し、開閉可能に形成される中空箱型からなるメス金具２８１に、例えば、前記第３連結具１００に使用される全長が短いオス金具１０１を着脱するものである。
【００５７】
本実施例におけるメス金具２８１の蓋体２８２には、幅方向の一側から、すなわち支持ピン７０による軸支方向と並行して、オス金具１０１の係合溝部１０５に係合する略半円状の第一係止凹部２８７が形成され、同様に、底体２９０には、第二係止凹部２９２が形成されている。
また、蓋体２８２と底体２９０の下方向には、なだらかなスロープ２８３,２９３がそれぞれ対向して形成され、双方を押圧してオス金具を開放する動作をスムーズに行なうことができる。さらにメス金具２８１には、ネックレスなどの一端を接続する接続環部２８９が備えられている。
【００５８】
第８連結具２８０においては、オス金具１０１はメス金具２８１に幅方向から連結される。
したがって、ネックレスなどの装身具装着時に連結具２８０を前面に位置させ、目視しながら着脱することができるので非常に便利である。
また、例えば、メス金具２８１をハート形状などの装飾的なものとすることで、ネックレス使用時に、連結具２８０を前面に位置させれば、ぺンダントとしての役割を兼ねることができる。
【００５９】
以上のように本発明を図示されたいくつかの実施例によって説明したが、それらを以って本発明を前記実施例のみに限定するものでなく、この発明の精神を逸脱しない限り種々の改変を加えて、多種多様の変更ができることはいうまでもない。
【００６０】
例えば、オス金具の形状は、上記に説明、図示されたような丸棒体、くさび体などに限る必要はなく、頭部の形状を半球状に形成しても良く、又、段差部についても二段に限らず三段を形成しても良い。
また、メス金具内部に配設されるばね部材は、上記に説明、図示されたようなコイルバネに限る必要はなく、略くの字状に折り曲げられた板バネなどを使用して、蓋体と底体を閉鎖方向に付勢することもできる。
【００６１】
【発明の効果】
本発明に係る装身具用連結具によれば、オス金具をメス金具にそのまま挿入するれば、ネックレスの両端を連結ができる。一方、メス金具の底面を指で押圧するだけで、オス金具を離脱できる。したがって、双方の着脱が、従来の連結具に比し、非常に容易となる。又、複雑な多数の部品を要しないので、組み立てが簡単で、コスト的にも低価格である。さらに、支持ピンを外すことで、蓋体と底体の交換でき、修理なども容易となる。
【図面の簡単な説明】
【図１】 従来技術に係る装身具用連結具の一実施例を示す斜視図。
【図２】 従来技術に係る装身具用連結具の他の実施例を示す斜視図。
【図３】 従来技術に係る装身具用連結具の他の実施例を示す分解斜視図。
【図４】本発明に係る第１連結具のオス金具の側面図。
【図５】本発明に係る第１連結具のメス金具を示す分解斜視図。
【図６】第１連結具の連結状態を示す断面図である。
【図７】底体を枢動してオス金具を離脱した状態の断面図である。
【図８】第１連結具の結合状態を示す略中央断面図である。
【図９】支持ピンの一部破断した側面図である。
【図１０】支持ピンの他の実施例を示す断面図である。
【図１１】本発明に係る第２連結具の斜視図である。
【図１２】第２連結具のメス金具の分解斜視図である。
【図１３】第２連結具の結合状態を示す横断面図である。
【図１４】本発明に係る第３連結具の横断面図である。
【図１５】本発明に係る第４連結具の略中央断面図である。
【図１６】支持ピンの他の実施例を示す一部破断した正面図である。
【図１７】本発明に係る第５連結具の分解斜視図である。
【図１８】本発明に係る第６連結具の斜視図である。
【図１９】第６連結具のメス型の分解斜視図である。
【図２０】本発明に係る第７連結具の斜視図である。
【図２１】第７連結具のメス型の分解斜視図である。
【図２２】本発明に係る第８連結具及びその使用状態を示す斜視図である。
【符号の説明】
１０ 連結具
１１ 受入部材
１３ 係止具
１５ 係止溝
１６ 係止部材
１７ 係脱ボタン
１７ａ コイルバネ
１８ 連結具本体
１９ａ 連珠装身具本体
１９ｂ 連珠装身具本体
２０ 連結具
２２ オス金具
２５ 頭部
２７ 係合部
２９ 接続部
３０ メス金具
３０a  底体
３１ 蓋体
３１a 係止部
３３ 両側壁部
３３ａ 両側壁部
３５ 軸支部
３５a  軸支部
３７ 挿入部
３８ 支軸
３９ 接続部
４０  第１連結具
４１  オス金具
４２  胴部
４３  先端部
４３a   頭部
４５  係合溝部
４６  接続環部
５０  メス金具
５１  蓋体
５２  挿入部
５４  案内部
５５  係止突起
５６  案内壁部
５７  軸支壁部
５８  挿通穴
５９  接続環部
６０  底体
６１  係止凹部
６２  ピン穴
６３  押圧凹部
６５  コイルばね
６６  軸部
６７  コイル部
７０  支持ピン
７２  スプリング
７１  筒部
７３  可動軸
７４  軸支部
７５  鍔部
７５ｂ  係止部
７６  支持ピン
７７  スプリング
７８ａ 係止部
７８ｂ 可動軸
７８ｃ 軸支部
７９ａ 鍔部
７９ｂ 鍔部
８０  第２連結具
８０ａ  メス金具
８１  蓋体
８３  スロープ
８５  ピン穴
８７  第一係止凹部
８９  接続環部
９０  底体
９１  第二係止凹部
９２  押圧部
９３  ピン穴
９４  山形部
９５  オス金具
９６  頭部
９７  係合溝部
９７a  コイルばね
９８  接続環部
１００  第３連結具
１０１  オス金具
１０３  頭部
１０５  係合溝部
１０６  接続環部
１１０  メス金具
１１１  蓋体
１１２  挿入部
１１９  接続環部
１２０  底体
１２７  コイルばね
１３０  第４連結具
１３０ａ メス金具
１３１  蓋体
１３７  軸支壁部
１３８  捜通穴
１４０  底体
１４６  ピン穴
１４７  コイルばね
１５０  支持ピン
１５１  筒部
１５２  スプリング
１５３  可動軸
１６０  第５連結具
１７０  メス金具
１７１  蓋体
１７２  係止凹部
１７４  ピン穴
１８０  底体
１８２  案内部
１８３  案内壁部
１８４  ピン穴
１８５  壁部
１８６  山形部
１８８  接続環部
１８７  コイルばね
１９１  オス金具
１９３  先端部
１８３a  頭部
１９４  胴部
１９５  係合溝部
１９６  接続環部
２２０  第６連結具
２３１  蓋体
２３２  側壁部
２３４  軸支壁部
２３５  ピン穴
２３７  挿入口
２４０  係止レバー
２４１  係止凹部
２４２  押圧部
２４３  ピン穴
２４４  山形部
２５０  第７連結具
２５２  オス金具
２５５  頭部
２５７ 係合溝部
２６１  蓋体
２６３  山形部
２６５  ピン穴
２６７  挿入凹部
２７０  底体
２７１  係止凹部
２７３  ピン穴
２７６  支持部
２７７  コイルばね
２７９  接続環部
２８０  第８連結具
２８１  メス金具
２８２  蓋体
２８３  スロープ
２８７  第一係止凹部
２８９  接続環部
２９０  底体
２９２  第二係止凹部
２９３  スロープ
【図１】
0003952250.tif 000002
【図２】
0003952250.tif 000003
【図３】
0003952250.tif 000004
【図４】
0003952250.tif 000005
【図５】
0003952250.tif 000006
【図６】
0003952250.tif 000007
【図７】
0003952250.tif 000008
【図８】
0003952250.tif 000009
【図９】
0003952250.tif 000010
【図１０】
0003952250.tif 000011
【図１１】
0003952250.tif 000012
【図１２】
0003952250.tif 000013
【図１３】
0003952250.tif 000014
【図１４】
0003952250.tif 000015
【図１５】
0003952250.tif 000016
【図１６】
0003952250.tif 000017
【図１７】
0003952250.tif 000018
【図１８】
0003952250.tif 000019
【図１９】
0003952250.tif 000020
【図２０】
0003952250.tif 000021
【図２１】
0003952250.tif 000022
【図２２】
0003952250.tif 000023